(57)【要約】【課題】  循環水の残留塩素濃度等を随時測定して水槽の塩素濃度等を管理並びに調整する比較的構造が簡単な水循環システムを提供するとともに、そのシステムにおける測定データの受信から各種制御までを自動で実行するためのプログラムの提供を図る。【解決手段】浴槽やプール等における引き入れた水を浄化・昇温処理して水槽へ戻す水循環システムにおいて、循環水の残留塩素濃度や化学物質濃度、水温、流量等を測定するための測定手段と、該測定手段により得られた測定データに基づきコンピュータが塩素濃度や化学物質濃度、水温、流量等の調整を指令する制御手段と、該制御手段からの指令により循環水に対して塩素濃度や化学物質濃度、水温、流量等を調整する調整手段と、を備える構成を採用する。そしてまた、かかる水循環システムを実行するためのプログラムである。【選択図】図１
2007111575.tif 000002
【特許請求の範囲】
【請求項１】
浴槽やプール等における引き入れた水を浄化・昇温処理して水槽へ戻す水循環システムにおいて、循環水の残留塩素濃度を測定するための測定手段と、該測定手段により得られた残留塩素濃度の測定データに基づきコンピュータが塩素濃度の調整を指令する制御手段と、該制御手段からの指令により循環水に対して塩素濃度を調整する調整手段と、を備える水循環システム。
【請求項２】
前記測定手段が循環水の残留塩素濃度とともに化学物質濃度、水温、流量のうち少なくとも一つを測定し、前記制御手段が塩素濃度とともに化学物質濃度、水温、流量の調整を指令し、前記調整手段が塩素濃度を調整するとともに化学物質濃度、水温、流量を調整することを特徴とする請求項１に記載の水循環システム。
【請求項３】
前記コンピュータにあらかじめ測定データの危険値を設定し、前記測定手段により得られた測定データが該危険値に達した場合にコンピュータからの指令で警報を発する警報手段を備えたことを特徴とする請求項１または請求項２に記載の水循環システム。
【請求項４】
前記コンピュータが前記測定手段により得られた測定データの保存を行うとともに、保存された測定データをコンピュータ画面上あるいは外部出力装置により外部へ出力することが可能であることを特徴とする請求項１から請求項３のいずれかに記載の水循環システム。
【請求項５】
請求項１または請求項２に記載の水循環システムを実行するため、コンピュータを、測定手段からの測定データを受ける受信手段と、受信した測定データに基づき調整値を算出する演算手段と、該演算手段により算出された調整値に基づき調整手段へ指令を送る制御手段として機能させることを特徴とするプログラム。
【請求項６】
請求項３に記載の水循環システムを実行するため、前記プログラムにおいて、コンピュータを、危険値を設定する危険値設定手段と、該危険値並びに受信した測定データに基づき警報手段へ指令を送る警報指令手段として機能させることを特徴とする請求項５に記載のプログラム。
【請求項７】
請求項４に記載の水循環システムを実行するため、前記プログラムにおいて、コンピュータを、受信した測定データの保存を行う保存手段と、保存された測定データをコンピュータ画面上あるいは外部出力装置により外部へ出力するデータ出力手段として機能させることを特徴とする請求項５または請求項６に記載のプログラム。
【発明の詳細な説明】
【技術分野】
【０００１】
本発明は、浴槽やプール等における引き入れた水を浄化・昇温処理して水槽へ戻す水循環システム並びにそれを実行するためのプログラムに関するものである。
【背景技術】
【０００２】
従来より、浴槽やプール等の水を循環させて、浄化処理や昇温処理が行われている。水の浄化は、主にろ過・集毛により行われているが、大浴場やプールなどの大人数が一度に使用する水については、加えて塩素殺菌が行われている。かかる塩素殺菌を行う場合には、塩素の濃度管理が大変に重要である。そのため、水槽の水を人為的に定期的に汲み上げて薬剤や測定装置等で塩素濃度を測定したり、あるいは、水槽内に塩素センサを設けて塩素濃度を測定・監視している。そして、測定した塩素濃度に基づき、人為的あるいは機械的に塩素の注入が行われている。
【０００３】
しかしながら、塩素濃度を人為的に汲み上げ測定する場合、その作業が煩雑であるとともに、測定する時間と時間との空白時間における水の塩素濃度については不明であるため、水槽利用者が危険にさらされる場合がある。さらに、水槽内に塩素センサを設けた場合、確かに常時塩素濃度を測定できるものの、該センサの設置位置によっては塩素濃度を正確には測定できず、そのためセンサ部分に流す水の流量を制御する装置が必要であり、また、水の汚れなどから該センサを保護する構造が必要であるなど、該センサや付帯構造等が非常に複雑となってしまう。
【０００４】
そして、従来の浴槽やプールなどにおいては、残留塩素濃度や水温等を個々に測定する装置は存在し、また、それら測定値を基に塩素注入やボイラー制御等の個々の装置・制御技術は存在しており、管理者がこれら測定データをそれぞれの装置が設置してある場所に出向いて目視確認・記録し、必要に応じてそれぞれの装置を制御する等の対処を行っていた。
【特許文献１】特開２００４−１５４７４６号公報
【特許文献２】特開２００３−１９０９６５号公報
【特許文献３】特開２０００−７０９２８号公報
【発明の開示】
【発明が解決しようとする課題】
【０００５】
上記問題点に鑑み、本発明は、循環水の残留塩素濃度等を随時測定して水槽の塩素濃度等を管理並びに調整する比較的構造が簡単な水循環システムを提供するとともに、そのシステムにおける測定データの受信から各種制御までを自動で実行するためのプログラムを提供することを目的とする。
【課題を解決するための手段】
【０００６】
上記目的を達成するため、本発明は、浴槽やプール等における引き入れた水を浄化・昇温処理して水槽へ戻す水循環システムにおいて、循環水の残留塩素濃度を測定するための測定手段と、該測定手段により得られた残留塩素濃度の測定データに基づきコンピュータが塩素濃度の調整を指令する制御手段と、該制御手段からの指令により循環水に対して塩素濃度を調整する調整手段と、を備えた構成となっている。
【０００７】
また、本発明は、前記測定手段が循環水の残留塩素濃度とともに化学物質濃度、水温、流量のうち少なくとも一つを測定し、前記制御手段が塩素濃度とともに化学物質濃度、水温、流量の調整を指令し、前記調整手段が塩素濃度を調整するとともに化学物質濃度、水温、流量を調整する構成を採用することができる。
【０００８】
さらに、本発明は、前記コンピュータにあらかじめ測定データの危険値を設定し、前記測定手段により得られた測定データが該危険値に達した場合にコンピュータからの指令で警報を発する警報手段を備えた構成とすることもできる。
【０００９】
そしてまた、本発明は、前記コンピュータが前記測定手段により得られた測定データの保存を行うとともに、保存された測定データをコンピュータ画面上あるいは外部出力装置により外部へ出力することが可能である構成を採ることもできる。
【００１０】
またさらに、本発明は、前記水循環システムを実行するため、コンピュータを、測定手段からの測定データを受ける受信手段と、受信した測定データに基づき調整値を算出する演算手段と、該演算手段により算出された調整値に基づき調整手段へ指令を送る制御手段として機能させるためのプログラムである。
【００１１】
さらにまた、本発明は、前記プログラムにおいて、コンピュータを、危険値を設定する危険値設定手段と、該危険値並びに受信した測定データに基づき警報手段へ指令を送る警報指令手段として機能させる構成とすることができる。
【００１２】
そしてさらに、本発明は、前記プログラムにおいて、コンピュータを、受信した測定データの保存を行う保存手段と、保存された測定データをコンピュータ画面上あるいは外部出力装置により外部へ出力するデータ出力手段として機能させる構成とすることもできる。
【発明の効果】
【００１３】
本発明にかかる水循環システム並びにプログラムによれば、循環水における残留塩素濃度やその他の化学物質濃度、水温等を随時測定し、かつ、その測定データをコンピュータによって管理することで、水槽内の水の塩素濃度や化学物質濃度、水温等を常に監視することができるとともに、該測定データに基づいてコンピュータが各種制御を行うことで、常時自動的に水槽内の水を安全な状態で保持することが可能となる。
【００１４】
そしてまた、本発明にかかる水循環システム並びにプログラムによれば、塩素濃度調整や水温調整等といった各種制御を市販のパソコンや類似機能を有する装置で簡単に実現できるとともに、常時監視・制御を行うことから、人為的に監視・制御を行うことに起因する空白時間における水の危険な状態をなくして、省力・省人及び確実性に優れた効果を奏する。
【発明を実施するための最良の形態】
【００１５】
以下、本発明にかかる水循環システムの実施形態を図面に基づいて説明する。
【００１６】
図１は、本発明にかかる水循環システムの第一の実施形態を示す概略説明図である。該水循環システムは、浴槽やプール等の水槽１内からポンプ５によって水２を循環経路３内に引き入れ、循環経路３中に存在する集毛器４による集毛やろ過器６によるろ過、昇温器８による水温調整を経て、その水２を再び水槽１内へ戻す構成上において成立する。そして、図面に示す通り、本発明にかかる水循環システムは、上記循環経路３中において、循環水の残留塩素濃度を測定するための測定手段並びに循環水に対して塩素濃度を調整する調整手段を備えている。
【００１７】
測定手段としては、一般的な塩素センサが用いられればよく、該測定手段により得られた残留塩素濃度の測定データは、電気信号に変換され、コンピュータ１０へ伝送される。その伝送された測定データに基づき、コンピュータ１０は、制御手段として塩素濃度の調整をすべく、調整手段に対して指令を行う。指令の内容としては、基本的に調整手段に対するＯＮ・ＯＦＦ制御である。そして、その指令を受けて調整手段がＯＮ・ＯＦＦ制御されることにより、循環水に対して塩素濃度の調整を行うこととなる。かかる調整手段については、塩素濃度調整器７として機械的に塩素薬剤を注入する塩素注入器や、電解次亜塩素酸発生器などが考え得る。
【００１８】
図２は、本発明にかかる水循環システムの第二の実施形態を示す概略説明図である。該水循環システムは、上記第一の実施形態において、循環水の残留塩素濃度とともに化学物質濃度、水温、流量のうち少なくとも一つを測定するための測定手段並びに循環水に対して塩素濃度を調整するとともに化学物質濃度、水温、流量を調整する調整手段を備えている。
【００１９】
測定手段としては、塩素センサや水温計等をそれぞれ別個に設けることもできるが、構造上簡素化を図るべく、測定すべき対象を全て測定可能な複合的測定センサ９を用いることが望ましい。該測定手段により得られた残留塩素濃度や化学物質濃度、水温、流量の測定データは、電気信号に変換され、コンピュータ１０へ伝送される。その伝送された測定データに基づき、コンピュータ１０は、制御手段として塩素濃度や化学物質濃度、水温、流量の調整をすべく、調整手段に対して指令を行う。指令の内容としては、基本的に調整手段に対するＯＮ・ＯＦＦ制御である。そして、その指令を受けて調整手段がＯＮ制御あるいはＯＦＦ制御されることにより、循環水に対して塩素濃度や化学物質濃度、水温、流量の調整を行うこととなる。かかる調整手段について、塩素濃度の調整には上記と同様に塩素濃度調整器７として塩素注入器や電解式高活性塩素殺菌装置、化学物質濃度の調整には電解式殺菌装置や消毒薬投入装置などが考えられ、また、水温及び流量の調整には既に外部機器として備えられている昇温器８やポンプ５などが考え得る。
【００２０】
図３は、本発明にかかる水循環システムの第三の実施形態を示す概略説明図である。該水循環システムは、上記第一または第二の実施形態において、コンピュータ１０にあらかじめ測定データの危険値を設定しておき、測定手段により得られた測定データがその設定された危険値に達した場合に、コンピュータ１０からの指令で警報を発する警報手段１１を備えた構成となっている。
【００２１】
設定されるべき危険値は、コンピュータ１０に備える入力手段Ｉによって自由に入力可能であって、国の法律や各自治体の条例等に従って任意に設定することが可能である。また、かかる危険値の入力に際し、上限設定や下限設定、範囲設定等も自由に設定可能である。
【００２２】
警報手段１１としては、特に限定するものではないが、コンピュータ画面Ｄ上に警報画面を表示したり、それに加えてコンピュータ１０がアラーム音を発生したり、あるいは、外部警報装置によりアラーム音を発生させるなどといった、種々の態様が考え得る。
【００２３】
上記水循環システムの各実施形態において、コンピュータ１０が、測定手段により得られた各種測定データを保存することについて可能とし、さらに、その保存された測定データをコンピュータ画面Ｄ上あるいは外部出力装置Ｒにより外部へ出力することが可能である態様も考え得る。測定データの保存期間等について限定はなく、かかる保存期間についてコンピュータ１０への入力により自由に設定することも可能である。また、保存された各種測定データの出力に関し、所定の書式や線グラフ等、種々の出力態様が可能である。
【００２４】
次に、本発明にかかる水循環システムを実行するためのプログラムの実施形態を図面に基づいて説明する。
【００２５】
図４は、本発明にかかるプログラムの第一の実施形態を示すフローチャートである。該プログラムは、上記第一または第二の実施形態にかかる水循環システムを実行するためのものであって、コンピュータ１０を、測定手段からの測定データを受ける受信手段と、受信した測定データに基づき調整値を算出する演算手段と、該演算手段により算出された調整値に基づき調整手段へ指令を送る制御手段として機能させる。
【００２６】
上記第一の実施形態にかかるプログラムを実行するコンピュータ１０について、まず、受信手段が、測定手段から伝送されてくる測定対象に関する測定データを受信する。次に、演算手段は、受信した測定対象に関する測定データについて、あらかじめ設定されている測定対象に関する基準値との比較を行い、測定対象が基準値に達するための調整値を算出する。尚、かかる基準値については、コンピュータ１０に備える入力手段Ｉによって所定の値をあらかじめ入力することにより任意に設定される。そして、制御手段は、演算手段により算出された調整値に基づいて、調整手段へＯＮ制御あるいはＯＦＦ制御の指令を与える。
【００２７】
図５は、本発明にかかるプログラムの第二の実施形態を示すフローチャートである。該プログラムは、上記第三の実施形態にかかる水循環システムを実行するためのものであって、前記第一の実施形態にかかるプログラムにおいて、コンピュータ１０をさらに、危険値を設定する危険値設定手段と、該危険値並びに受信した測定データに基づき警報手段１１へ指令を送る警報指令手段として機能させる。
【００２８】
上記第二の実施形態にかかるプログラムを実行するコンピュータ１０について、まず、危険値設定手段において、基準値の設定と同様にコンピュータ１０に備える入力手段Ｉによって所定の値をあらかじめ入力することにより測定対象に関する危険値が任意に設定される。かかる危険値は、上限設定や下限設定、範囲設定等により入力される。次に、受信手段が、測定手段から伝送されてくる測定対象に関する測定データを受信する。そして、演算手段は、受信した測定対象に関する測定データについて、あらかじめ設定されている測定対象に関する基準値並びに危険値との比較を行い、測定対象が基準値に達するための調整値を算出するとともに、該測定対象が危険値に達しているか否かを判別する。次いで、制御手段は、演算手段により算出された調整値に基づいて、調整手段へＯＮ制御あるいはＯＦＦ制御の指令を与える。さらに、警報指令手段は、演算手段における判別の結果に基づいて、警報手段１１へ警報ＯＮあるいは警報ＯＦＦの指令を与える。
【００２９】
図６は、本発明にかかるプログラムの第三の実施形態を示すフローチャートである。該プログラムは、前記第一及び第二の実施形態にかかるプログラムにおいて、コンピュータ１０をさらに、受信した測定データの保存を行う保存手段と、保存された測定データをコンピュータ画面Ｄ上あるいは外部出力装置Ｒにより外部へ出力するデータ出力手段として機能させる。
【００３０】
上記第三の実施形態にかかるプログラムを実行するコンピュータ１０について、まず、受信手段が、測定手段から伝送されてくる測定対象に関する測定データを受信する。受信した測定対象に関する測定データは、保存手段により保存ざれる。また、演算手段は、受信した測定対象に関する測定データについて、あらかじめ設定されている測定対象に関する基準値との比較を行い、測定対象が基準値に達するための調整値を算出する。そして、制御手段は、演算手段により算出された調整値に基づいて、調整手段へＯＮ制御あるいはＯＦＦ制御の指令を与える。さらに、データ出力手段は、ユーザーからの要求に応じて、保存された測定データをコンピュータ画面Ｄ上あるいは外部出力装置Ｒにより外部へ出力する。
【産業上の利用可能性】
【００３１】
本発明にかかる水循環システム並びにそれを実行するプログラムは、貯水された水槽内の水を循環する機構を有するものであれば、浴槽やプールといった人が入水するための水槽に限らず、様々な循環式水槽にも好適に採用することが可能である。
【図面の簡単な説明】
【００３２】
【図１】本発明にかかる水循環システムの第一の実施形態を示す概略説明図である。
【図２】本発明にかかる水循環システムの第二の実施形態を示す概略説明図である。
【図３】本発明にかかる水循環システムの第三の実施形態を示す概略説明図である。
【図４】本発明にかかるプログラムの第一の実施形態を示すフローチャートである。
【図５】本発明にかかるプログラムの第二の実施形態を示すフローチャートである。
【図６】本発明にかかるプログラムの第三の実施形態を示すフローチャートである。
【符号の説明】
【００３３】
１    水槽
２    水
３    循環経路
４    集毛器
５    ポンプ
６    ろ過器
７    塩素濃度調整器
８    昇温器
９    測定センサ
１０    コンピュータ
１１    警報手段
Ｄ    コンピュータ画面
Ｉ    入力手段
Ｒ    外部出力装置
【図１】
2007111575.tif 000003
【図２】
2007111575.tif 000004
【図３】
2007111575.tif 000005
【図４】
2007111575.tif 000006
【図５】
2007111575.tif 000007
【図６】
2007111575.tif 000008